【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
前記UEの能力情報について基地局(BS)からクエリを受信するステップと、
前記クエリに応答して、1つまたは複数のキャリアアグリゲーション(CA)構成のための前記UEの切替え能力情報の指示を前記BSに提供するステップであって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、ステップと
を備える、方法。
【請求項２】
前記UEの前記切替え能力が、UE能力、前記CCが連続CCであるかどうか、または前記CCが帯域間CCであるかどうかのうちの少なくとも1つに基づく、請求項1に記載の方法。
【請求項３】
前記第1のアップリンク信号が、物理アップリンク共有チャネル(PUSCH)または物理アップリンク制御チャネル(PUCCH)のうちの少なくとも1つを備える、請求項1に記載の方法。
【請求項４】
前記第2のアップリンク信号がサウンディング基準信号(SRS)を備える、請求項1に記載の方法。
【請求項５】
前記1つまたは複数のCA構成が、前記UEが現在それを用いて構成されているCA構成を備える、請求項1に記載の方法。
【請求項６】
前記1つまたは複数のCA構成が潜在的なCA構成を備える、請求項1に記載の方法。
【請求項７】
前記指示を提供したことに応答してCA構成を受信するステップをさらに備える、請求項1に記載の方法。
【請求項８】
基地局(BS)によるワイヤレス通信のための方法であって、
ユーザ機器(UE)の能力情報について前記UEにクエリを送信するステップと、
前記クエリに応答して、1つまたは複数のキャリアアグリゲーション(CA)構成のための前記UEの切替え能力情報の指示を受信するステップであって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、ステップと
を備える、方法。
【請求項９】
前記UEの前記切替え能力が、UE能力、前記CCが連続CCであるかどうか、または前記CCが帯域間CCであるかどうかのうちの少なくとも1つに基づく、請求項8に記載の方法。
【請求項１０】
前記第1のアップリンク信号が、物理アップリンク共有チャネル(PUSCH)または物理アップリンク制御チャネル(PUCCH)のうちの少なくとも1つを備える、請求項8に記載の方法。
【請求項１１】
前記第2のアップリンク信号がサウンディング基準信号(SRS)を備える、請求項8に記載の方法。
【請求項１２】
前記1つまたは複数のCA構成が、前記UEが現在それを用いて構成されているCA構成を備える、請求項8に記載の方法。
【請求項１３】
前記1つまたは複数のCA構成が潜在的なCA構成を備える、請求項8に記載の方法。
【請求項１４】
前記指示を受信したことに応答してCA構成を提供するステップをさらに備える、請求項8に記載の方法。
【請求項１５】
ユーザ機器(UE)によるワイヤレス通信のための方法であって、
第2のコンポーネントキャリア(CC)でアップリンク基準信号を送信するように第1のCCと前記第2のCCとの間で切り替えるために、前記第1のCCでのアップリンク送信を中断するステップと、
前記第2のCCでの通信の前記中断を埋め合わせるために、前記第1のCCでの前記アップリンク送信の1つまたは複数のパラメータまたはパラメータ値を調整するステップと
を備える、方法。
【請求項１６】
前記第1のCCと前記第2のCCとの間で切り替えるために前記第1のCCでの通信を中断するステップが、前記第2のCCで前記アップリンク基準信号を送信するために前記第1のCCから前記第2のCCに切り替えること、または前記第1のCCでの前記アップリンク送信を再開するために前記第2のCCから前記第1のCCに戻すことのうちの少なくとも1つによって引き起こされる通信を中断するステップを含む、請求項15に記載の方法。
【請求項１７】
前記第2のCCが、ダウンリンク送信だけのために構成されたCCである、請求項15に記載の方法。
【請求項１８】
前記1つまたは複数のパラメータまたはパラメータ値を調整するステップが、前記第1のCCと前記第2のCCとの間で切り替えるための時間に基づいて、前記第1のCCでの前記アップリンク送信のための物理チャネルの1つまたは複数のシンボルと関連付けられる送信電力レベルを調整するステップを備える、請求項15に記載の方法。
【請求項１９】
前記第1のCCでの前記アップリンク送信が、物理アップリンク共有チャネル(PUSCH)または物理アップリンク制御チャネル(PUCCH)のうちの少なくとも1つを備える、請求項15に記載の方法。
【請求項２０】
前記アップリンク基準信号がサウンディング基準信号(SRS)を備える、請求項15に記載の方法。
【請求項２１】
前記1つまたは複数のパラメータまたはパラメータ値を調整するステップが、前記第1のCCでの前記アップリンク送信のために使用されるリソースを調整するステップを備える、請求項15に記載の方法。
【請求項２２】
基地局(BS)からパラメータ値のセットを受信するステップであって、前記パラメータ値が、前記中断の異なる時間長または異なるタイプのアップリンク送信のうちの少なくとも1つと関連付けられる、ステップと、
パラメータ値の前記受信されたセットおよび前記関連付けられる時間長またはアップリンク送信タイプに基づいて、前記1つまたは複数のパラメータまたはパラメータ値に対する前記調整を決定するステップと
をさらに備える、請求項15に記載の方法。
【請求項２３】
パラメータ値の前記セットが、システム情報ブロック(SIB)ブロードキャストまたは無線リソース制御(RRC)シグナリングのうちの少なくとも1つを介して受信される、請求項22に記載の方法。
【請求項２４】
前記1つまたは複数のパラメータまたはパラメータ値に対する前記調整の指示を基地局(BS)から受信するステップをさらに備える、請求項15に記載の方法。
【請求項２５】
ユーザ機器(UE)によるワイヤレス通信のための装置であって、
前記UEの能力情報について基地局(BS)からクエリを受信するための手段と、
前記クエリに応答して、1つまたは複数のキャリアアグリゲーション(CA)構成のための前記UEの切替え能力情報の指示を前記BSに提供するための手段であって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、手段と
を備える、装置。
【請求項２６】
前記1つまたは複数のCA構成が潜在的なCA構成を備える、請求項25に記載の装置。
【請求項２７】
前記UEの前記切替え能力が、UE能力、前記CCが連続CCであるかどうか、または前記CCが帯域間CCであるかどうかのうちの少なくとも1つに基づく、請求項25に記載の装置。
【請求項２８】
前記第1のアップリンク信号が、物理アップリンク共有チャネル(PUSCH)または物理アップリンク制御チャネル(PUCCH)のうちの少なくとも1つを備える、請求項25に記載の装置。
【請求項２９】
前記第2のアップリンク信号がサウンディング基準信号(SRS)を備える、請求項25に記載の装置。
【請求項３０】
前記1つまたは複数のCA構成が、前記UEが現在それを用いて構成されているCA構成を備える、請求項25に記載の装置。
【請求項３１】
前記指示を提供したことに応答してCA構成を受信するための手段をさらに備える、請求項25に記載の装置。
【請求項３２】
ワイヤレス通信のための装置であって、
ユーザ機器(UE)の能力情報について前記UEにクエリを送信するための手段と、
前記クエリに応答して、1つまたは複数のキャリアアグリゲーション(CA)構成のための前記UEの切替え能力情報の指示を受信するための手段であって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、手段と
を備える、装置。
【請求項３３】
前記UEの前記切替え能力が、UE能力、前記CCが連続CCであるかどうか、または前記CCが帯域間CCであるかどうかのうちの少なくとも1つに基づく、請求項32に記載の装置。
【請求項３４】
前記第1のアップリンク信号が、物理アップリンク共有チャネル(PUSCH)または物理アップリンク制御チャネル(PUCCH)のうちの少なくとも1つを備える、請求項32に記載の装置。
【請求項３５】
前記第2のアップリンク信号がサウンディング基準信号(SRS)を備える、請求項32に記載の装置。
【請求項３６】
前記1つまたは複数のCA構成が、前記UEが現在それを用いて構成されているCA構成を備える、請求項32に記載の装置。
【請求項３７】
前記1つまたは複数のCA構成が潜在的なCA構成を備える、請求項32に記載の装置。
【請求項３８】
前記指示を受信したことに応答してCA構成を提供するための手段をさらに備える、請求項32に記載の装置。
【請求項３９】
ワイヤレス通信のための装置であって、
第2のコンポーネントキャリア(CC)でアップリンク基準信号を送信するように第1のCCと前記第2のCCとの間で切り替えるために、前記第1のCCでのアップリンク送信を中断するための手段と、
前記第2のCCでの通信の前記中断を埋め合わせるために、前記第1のCCでの前記アップリンク送信の1つまたは複数のパラメータまたはパラメータ値を調整するための手段と
を備える、装置。
【請求項４０】
前記第1のCCと前記第2のCCとの間で切り替えるために前記第1のCCでの通信を中断することが、前記第2のCCで前記アップリンク基準信号を送信するために前記第1のCCから前記第2のCCに切り替えること、または前記第1のCCでの前記アップリンク送信を再開するために前記第2のCCから前記第1のCCに戻すことのうちの少なくとも1つによって引き起こされる通信を中断することを含む、請求項39に記載の装置。
【請求項４１】
前記第2のCCが、ダウンリンク送信だけのために構成されたCCである、請求項39に記載の装置。
【請求項４２】
前記1つまたは複数のパラメータまたはパラメータ値を調整することが、前記第1のCCと前記第2のCCとの間で切り替えるための時間に基づいて、前記第1のCCでの前記アップリンク送信のための物理チャネルの1つまたは複数のシンボルと関連付けられる送信電力レベルを調整することを備える、請求項39に記載の装置。
【請求項４３】
前記第1のCCでの前記アップリンク送信が、物理アップリンク共有チャネル(PUSCH)または物理アップリンク制御チャネル(PUCCH)のうちの少なくとも1つを備える、請求項39に記載の装置。
【請求項４４】
前記アップリンク基準信号がサウンディング基準信号(SRS)を備える、請求項39に記載の装置。
【請求項４５】
前記1つまたは複数のパラメータまたはパラメータ値を調整することが、前記第1のCCでの前記アップリンク送信のために使用されるリソースを調整することを備える、請求項39に記載の装置。
【請求項４６】
基地局(BS)からパラメータ値のセットを受信するための手段であって、前記パラメータ値が、前記中断の異なる時間長または異なるタイプのアップリンク送信のうちの少なくとも1つと関連付けられる、手段と、
パラメータ値の前記受信されたセットおよび前記関連付けられる時間長またはアップリンク送信タイプに基づいて、前記1つまたは複数のパラメータまたはパラメータ値に対する前記調整を決定するための手段と
をさらに備える、請求項39に記載の装置。
【請求項４７】
パラメータ値の前記セットが、システム情報ブロック(SIB)ブロードキャストまたは無線リソース制御(RRC)シグナリングのうちの少なくとも1つを介して受信される、請求項46に記載の装置。
【請求項４８】
前記1つまたは複数のパラメータまたはパラメータ値に対する前記調整の指示を基地局(BS)から受信するための手段をさらに備える、請求項39に記載の装置。
【請求項４９】
ワイヤレス通信のための装置であって、
メモリに結合された少なくとも1つのプロセッサを備え、前記少なくとも1つのプロセッサは、
前記装置の能力情報について基地局(BS)からクエリを受信することと、
前記クエリに応答して、1つまたは複数のキャリアアグリゲーション(CA)構成のための前記装置の切替え能力情報の指示を前記BSに提供することであって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記装置によってサポートされるCC、前記装置がそれらの間での切替えをサポートするCC、または、異なるCC間での切替えと関連付けられる切替え時間のうちの少なくとも1つを備える、提供することと
を行うように構成される、装置。
【請求項５０】
前記1つまたは複数のCA構成が潜在的なCA構成を備える、請求項49に記載の装置。
【請求項５１】
前記装置の前記切替え能力が、ユーザ機器(UE)能力、前記CCが連続CCであるかどうか、または前記CCが帯域間CCであるかどうかのうちの少なくとも1つに基づく、請求項49に記載の装置。
【請求項５２】
前記第1のアップリンク信号が、物理アップリンク共有チャネル(PUSCH)または物理アップリンク制御チャネル(PUCCH)のうちの少なくとも1つを備える、請求項49に記載の装置。
【請求項５３】
前記第2のアップリンク信号がサウンディング基準信号(SRS)を備える、請求項49に記載の装置。
【請求項５４】
前記1つまたは複数のCA構成が、前記装置が現在それを用いて構成されているCA構成を備える、請求項49に記載の装置。
【請求項５５】
前記少なくとも1つのプロセッサは、
前記指示を提供したことに応答してCA構成を受信することを行うようにさらに構成される、請求項49に記載の装置。
【請求項５６】
ワイヤレス通信のための装置であって、
メモリに結合された少なくとも1つのプロセッサを備え、前記少なくとも1つのプロセッサは、
ユーザ機器(UE)の能力情報について前記UEにクエリを送信することと、
前記クエリに応答して、1つまたは複数のキャリアアグリゲーション(CA)構成のための前記UEの切替え能力情報の指示を受信することであって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、受信することと
を行うように構成される、装置。
【請求項５７】
前記UEの前記切替え能力が、UE能力、前記CCが連続CCであるかどうか、または前記CCが帯域間CCであるかどうかのうちの少なくとも1つに基づく、請求項56に記載の装置。
【請求項５８】
前記第1のアップリンク信号が、物理アップリンク共有チャネル(PUSCH)または物理アップリンク制御チャネル(PUCCH)のうちの少なくとも1つを備える、請求項56に記載の装置。
【請求項５９】
前記第2のアップリンク信号がサウンディング基準信号(SRS)を備える、請求項56に記載の装置。
【請求項６０】
前記1つまたは複数のCA構成が、前記UEが現在それを用いて構成されているCA構成を備える、請求項56に記載の装置。
【請求項６１】
前記1つまたは複数のCA構成が潜在的なCA構成を備える、請求項56に記載の装置。
【請求項６２】
前記少なくとも1つのプロセッサは、
前記指示を受信したことに応答してCA構成を提供することを行うようにさらに構成される、請求項56に記載の装置。
【請求項６３】
ワイヤレス通信のための装置であって、
メモリに結合された少なくとも1つのプロセッサを備え、前記少なくとも1つのプロセッサは、
第2のコンポーネントキャリア(CC)でアップリンク基準信号を送信するように第1のCCと前記第2のCCとの間で切り替えるために、前記第1のCCでのアップリンク送信を中断することと、
前記第2のCCでの通信の前記中断を埋め合わせるために、前記第1のCCでの前記アップリンク送信の1つまたは複数のパラメータまたはパラメータ値を調整することと
を行うように構成される、装置。
【請求項６４】
前記第1のCCと前記第2のCCとの間で切り替えるために前記第1のCCでの通信を中断することが、前記第2のCCで前記アップリンク基準信号を送信するために前記第1のCCから前記第2のCCに切り替えること、または前記第1のCCでの前記アップリンク送信を再開するために前記第2のCCから前記第1のCCに戻すことのうちの少なくとも1つによって引き起こされる通信を中断することを含む、請求項63に記載の装置。
【請求項６５】
前記第2のCCが、ダウンリンク送信だけのために構成されたCCである、請求項63に記載の装置。
【請求項６６】
前記1つまたは複数のパラメータまたはパラメータ値を調整することが、前記第1のCCと前記第2のCCとの間で切り替えるための時間に基づいて、前記第1のCCでの前記アップリンク送信のための物理チャネルの1つまたは複数のシンボルと関連付けられる送信電力レベルを調整することを備える、請求項63に記載の装置。
【請求項６７】
前記第1のCCでの前記アップリンク送信が、物理アップリンク共有チャネル(PUSCH)または物理アップリンク制御チャネル(PUCCH)のうちの少なくとも1つを備える、請求項63に記載の装置。
【請求項６８】
前記アップリンク基準信号がサウンディング基準信号(SRS)を備える、請求項63に記載の装置。
【請求項６９】
前記1つまたは複数のパラメータまたはパラメータ値を調整することが、前記第1のCCでの前記アップリンク送信のために使用されるリソースを調整することを備える、請求項63に記載の装置。
【請求項７０】
前記少なくとも1つのプロセッサは、
基地局(BS)からパラメータ値のセットを受信することであって、前記パラメータ値が、前記中断の異なる時間長または異なるタイプのアップリンク送信のうちの少なくとも1つと関連付けられる、受信することと、
パラメータ値の前記受信されたセットおよび前記関連付けられる時間長またはアップリンク送信タイプに基づいて、前記1つまたは複数のパラメータまたはパラメータ値に対する前記調整を決定することと
を行うようにさらに構成される、請求項63に記載の装置。
【請求項７１】
パラメータ値の前記セットが、システム情報ブロック(SIB)ブロードキャストまたは無線リソース制御(RRC)シグナリングのうちの少なくとも1つを介して受信される、請求項70に記載の装置。
【請求項７２】
前記少なくとも1つのプロセッサは、
前記1つまたは複数のパラメータまたはパラメータ値に対する前記調整の指示を基地局(BS)から受信することを行うようにさらに構成される、請求項63に記載の装置。
【請求項７３】
ワイヤレス通信のためのコンピュータ実行可能コードを記録したコンピュータ可読記録媒体であって、前記コンピュータ実行可能コードが、
ユーザ機器(UE)の能力情報について基地局(BS)からクエリを受信するためのコードと、
前記クエリに応答して、1つまたは複数のキャリアアグリゲーション(CA)構成のための前記UEの切替え能力情報の指示を前記BSに提供するためのコードであって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、コードと
を備える、コンピュータ可読記録媒体。
【請求項７４】
前記1つまたは複数のCA構成が潜在的なCA構成を備える、請求項73に記載のコンピュータ可読記録媒体。
【請求項７５】
前記切替え能力が、UE能力、前記CCが連続CCであるかどうか、または前記CCが帯域間CCであるかどうかのうちの少なくとも1つに基づく、請求項73に記載のコンピュータ可読記録媒体。
【請求項７６】
前記第1のアップリンク信号が、物理アップリンク共有チャネル(PUSCH)または物理アップリンク制御チャネル(PUCCH)のうちの少なくとも1つを備える、請求項73に記載のコンピュータ可読記録媒体。
【請求項７７】
前記第2のアップリンク信号がサウンディング基準信号(SRS)を備える、請求項73に記載のコンピュータ可読記録媒体。
【請求項７８】
前記1つまたは複数のCA構成が、前記UEが現在それを用いて構成されているCA構成を備える、請求項73に記載のコンピュータ可読記録媒体。
【請求項７９】
前記指示を提供したことに応答してCA構成を受信するためのコードをさらに備える、請求項73に記載のコンピュータ可読記録媒体。
【請求項８０】
ワイヤレス通信のためのコンピュータ実行可能コードを記録したコンピュータ可読記録媒体であって、前記コンピュータ実行可能コードが、
ユーザ機器(UE)の能力情報について前記UEにクエリを送信するためのコードと、
前記クエリに応答して、1つまたは複数のキャリアアグリゲーション(CA)構成のための前記UEの切替え能力情報の指示を受信するためのコードであって、
前記切替え能力情報が、第1のアップリンク信号の送信のための第1のコンポーネントキャリア(CC)と、第2のアップリンク信号の送信のための第2のCCとの間の切替えに関連付けられ、
前記切替え能力情報が、前記UEによってサポートされるCC、前記UEがそれらの間での切替えをサポートするCC、または、異なるCC間での切替えと関連付けられる切替え時間のうちの少なくとも1つを備える、コードと
を備える、コンピュータ可読記録媒体。
【請求項８１】
前記UEの前記切替え能力が、UE能力、前記CCが連続CCであるかどうか、または前記CCが帯域間CCであるかどうかのうちの少なくとも1つに基づく、請求項80に記載のコンピュータ可読記録媒体。
【請求項８２】
前記第1のアップリンク信号が、物理アップリンク共有チャネル(PUSCH)または物理アップリンク制御チャネル(PUCCH)のうちの少なくとも1つを備える、請求項80に記載のコンピュータ可読記録媒体。
【請求項８３】
前記第2のアップリンク信号がサウンディング基準信号(SRS)を備える、請求項80に記載のコンピュータ可読記録媒体。
【請求項８４】
前記1つまたは複数のCA構成が、前記UEが現在それを用いて構成されているCA構成を備える、請求項80に記載のコンピュータ可読記録媒体。
【請求項８５】
前記1つまたは複数のCA構成が潜在的なCA構成を備える、請求項80に記載のコンピュータ可読記録媒体。
【請求項８６】
前記指示を受信したことに応答してCA構成を提供するためのコードをさらに備える、請求項80に記載のコンピュータ可読記録媒体。
【請求項８７】
ワイヤレス通信のためのコンピュータ実行可能コードを記録したコンピュータ可読記録媒体であって、前記コンピュータ実行可能コードが、
第2のコンポーネントキャリア(CC)でアップリンク基準信号を送信するように第1のCCと前記第2のCCとの間で切り替えるために、前記第1のCCでのアップリンク送信を中断するためのコードと、
前記第2のCCでの通信の前記中断を埋め合わせるために、前記第1のCCでの前記アップリンク送信の1つまたは複数のパラメータまたはパラメータ値を調整するためのコードと
を備える、コンピュータ可読記録媒体。
【請求項８８】
前記第1のCCと前記第2のCCとの間で切り替えるために前記第1のCCでの通信を中断することが、前記第2のCCで前記アップリンク基準信号を送信するために前記第1のCCから前記第2のCCに切り替えること、または前記第1のCCでの前記アップリンク送信を再開するために前記第2のCCから前記第1のCCに戻すことのうちの少なくとも1つによって引き起こされる通信を中断することを含む、請求項87に記載のコンピュータ可読記録媒体。
【請求項８９】
前記第2のCCが、ダウンリンク送信だけのために構成されたCCである、請求項87に記載のコンピュータ可読記録媒体。
【請求項９０】
前記1つまたは複数のパラメータまたはパラメータ値を調整することが、前記第1のCCと前記第2のCCとの間で切り替えるための時間に基づいて、前記第1のCCでの前記アップリンク送信のための物理チャネルの1つまたは複数のシンボルと関連付けられる送信電力レベルを調整することを備える、請求項87に記載のコンピュータ可読記録媒体。
【請求項９１】
前記第1のCCでの前記アップリンク送信が、物理アップリンク共有チャネル(PUSCH)または物理アップリンク制御チャネル(PUCCH)のうちの少なくとも1つを備える、請求項87に記載のコンピュータ可読記録媒体。
【請求項９２】
前記アップリンク基準信号がサウンディング基準信号(SRS)を備える、請求項87に記載のコンピュータ可読記録媒体。
【請求項９３】
前記1つまたは複数のパラメータまたはパラメータ値を調整することが、前記第1のCCでの前記アップリンク送信のために使用されるリソースを調整することを備える、請求項87に記載のコンピュータ可読記録媒体。
【請求項９４】
基地局(BS)からパラメータ値のセットを受信するためのコードであって、前記パラメータ値が、前記中断の異なる時間長または異なるタイプのアップリンク送信のうちの少なくとも1つと関連付けられる、コードと、
パラメータ値の前記受信されたセットおよび前記関連付けられる時間長またはアップリンク送信タイプに基づいて、前記1つまたは複数のパラメータまたはパラメータ値に対する前記調整を決定するためのコードと
をさらに備える、請求項87に記載のコンピュータ可読記録媒体。
【請求項９５】
パラメータ値の前記セットが、システム情報ブロック(SIB)ブロードキャストまたは無線リソース制御(RRC)シグナリングのうちの少なくとも1つを介して受信される、請求項94に記載のコンピュータ可読記録媒体。
【請求項９６】
前記1つまたは複数のパラメータまたはパラメータ値に対する前記調整の指示を基地局(BS)から受信するためのコードをさらに備える、請求項87に記載のコンピュータ可読記録媒体。